(57)【要約】      （修正有）【課題】定量吐出容器として、構造を簡単にし、容器底部のボタンを一回押すだけで鋸歯状に設けた中歯、外歯により中皿を一段ずつ上昇させ一定量吐出させることができ、しかも、容器の容量に比べ機構部を小さくし、容器の小型化がはかれる定量吐出容器を提供する。【解決手段】容器体と中皿、および操作部材とからなる定量吐出容器であって、容器体は、上筒と下筒からなり、上筒は、上端に吐出筒を設け、下端に下筒が嵌合する縮径段部を設けた筒体を具備し、中皿は、上筒の筒体内面と液密にスライドする弾性片を具え、操作部材は、中皿押上げ部材と操作ボタンとからなり、中皿押上げ部材は、中皿に係合する頂壁と、下端内面に係止歯を設けた側周壁を具備し、操作ボタンは、操作板と、該操作板の中央部に立設され、押上げ部材の内面の係止歯に噛合う鋸歯を設けた内筒と、操作板の周縁に立設され、下筒と係合する外筒とを具備している。【選択図】図１
2008137684.tif 000002
【特許請求の範囲】
【請求項１】
容器体と中皿、および操作部材とからなる定量吐出容器であって、
容器体は、上筒と下筒からなり、上筒は、上端に吐出筒を設け、下端に下筒が嵌合する縮径段部を設けた筒体を具備しており、
中皿は、上筒の筒体内面と液密にスライドする弾性片を具えており、
操作部材は、中皿押上げ部材と操作ボタンとからなり、
中皿押上げ部材は、中皿に係合する頂壁と、下端内面に係止歯を設けた側周壁を具備しており、
操作ボタンは、操作板と、該操作板の中央部に立設され、押上げ部材の内面の係止歯に噛合う鋸歯を設けた内筒と、操作板の周縁に立設され、下筒と係合する外筒とを具備していることを特徴とする定量吐出容器。
【請求項２】
下筒は、内面にストッパーを、下方にスリットを具備しており、
操作板は、下筒のスリットに係合し、操作ボタンの回転を防止する突起が設けられ、
操作板の周縁には、下筒に設けたストッパーと係合する膨出部を設けた外筒が立設されており、
上筒の下端と外筒上端との間に、スプリングが弾装されていることを特徴とする請求項１記載の定量吐出容器。
【請求項３】
中皿押上げ部材が、外歯と中歯とからなり、
外歯は、中皿に嵌合する頂壁と、下端内面に係止歯を設けた側周壁とを具備しており、
中歯は、上壁と、内面下端に係止歯を設け、外面上端に外歯の係止歯と噛合うストッパーと外面全域に上側が平らな鋸歯を具備してていることを特徴とする請求項１記載の定量吐出容器。
【発明の詳細な説明】
【技術分野】
【０００１】
本発明は、化粧品、薬品、その他クリーム状、または粘性液状の内容物の定量吐出が可能な定量吐出容器に関するものである。
【背景技術】
【０００２】
内容物を排出口より一定量吐出する化粧品、薬品、その他クリーム状、または粘性液状の内容物の押出容器として、外筒（１）内に可撓伸縮性を有する内筒（１２）を収納し、該内筒（１２）の下部に外方に突出するフック（１９）を具えた小径の底部材（１８）を配設するとともに、外筒（１）内面に鋸歯状の凹凸部（８）を設けた引き上げ杆（７）を、上下動自在に装着した押出容器であって、引き上げ杆（７）を押下げたときに、鋸歯状の凹凸部（８）がフック（１９）を乗り越えて下降し、引き上げ杆（７）の押下げを解いたときにフック（１９）に係合して引き上げ、内筒（１２）の容量を減少させて、内容物を吐出するようにした定量押出容器は、従来より知られている（例えば、特許文献１参照）。
【０００３】
また、鋸歯状係合段部と受皿に設けた係合舌片とを係合させ、棒状化粧品を所定量押し出す押出容器も、従来より知られている（例えば、特許文献２参照）。
【特許文献１】実公平３−４３１９１号公報
【特許文献２】実公昭５８−５５２７号公報
【発明の開示】
【発明が解決しようとする課題】
【０００４】
しかしながら、上記特許文献１記載の押出容器では、押圧した時に内容物が排出されず、押圧をやめた時に内容物が排出されるので、使い勝手が悪く、構造が複雑で高価格になること、しかも内容量に応じて引上げ機構が大形になるという問題もあった。
また、上記特許文献２記載の記載では、受け皿と容器内面とが液密構造となっていないので、固形の内容物にしか利用できない等の問題があった。
【０００５】
本発明は、上記問題を解決することを課題とし、一定量吐出させる定量吐出容器として、構造を簡単にし、容器底部のボタンを一回押すだけで鋸歯状に設けた中歯、外歯により中皿を一段ずつ上昇させ一定量吐出させることができ、しかも、容器の容量に比べ機構部を小さくし、容器の小型化がはかれる定量吐出容器を提供することを目的とする。
【課題を解決するための手段】
【０００６】
本発明は、上記の問題を解決するため、定量吐出容器として、容器体と中皿、および操作部材とからなる定量吐出容器であって、容器体は、上筒と下筒からなり、上筒は、上端に吐出筒を設け、下端に下筒が嵌合する縮径段部を設けた筒体を具備しており、中皿は、上筒の筒体内面と液密にスライドする弾性片を具えており、操作部材は、中皿押上げ部材と操作ボタンとからなり、中皿押上げ部材は、中皿に係合する頂壁と、下端内面に係止歯を設けた側周壁を具備しており、操作ボタンは、操作板と、該操作板の中央部に立設され、押上げ部材の内面の係止歯に噛合う鋸歯を設けた内筒と、操作板の周縁に立設され、下筒と係合する外筒とを具備していることを特徴とする構成を採用する。
【０００７】
下筒と操作ボタンの関係構造として、下筒は、内面にストッパーを、下方にスリットを具備しており、操作板は、下筒のスリットに係合し、操作ボタンの回転を防止する突起が設けられ、操作板の周縁には、下筒に設けたストッパーと係合する膨出部を設けた外筒が立設されており、上筒の下端と外筒上端との間に、スプリングが弾装されていることを特徴とする構成を採用する。
【０００８】
中皿押上げ部材の実施例として、中皿押上げ部材が、外歯と中歯とからなり、外歯は、中皿に嵌合する頂壁と、下端内面に係止歯を設けた側周壁とを具備しており、中歯は、上壁と、内面下端に係止歯を設け、外面上端に外歯の係止歯と噛合うストッパーと外面全域に上側が平らな鋸歯を具備してていることを特徴とする構成を採用する。
【発明の効果】
【０００９】
操作部材を中皿押上げ部材と操作ボタンから構成しているので、内容物の吐出にあたって、操作ボタンを押圧すると、中皿押上げ部材を介して中皿を鋸歯１個分だけ上昇させ、一定量の内容物を吐出させることができる。
操作ボタンから手を離すと、中皿は、容器体の上筒に液密、かつ弾性的に嵌挿されているので、操作ボタンのみが復帰し、空気を導入しないで次の操作に具えることができるようになった。
【００１０】
また、中皿押上げ部材を多段式にした場合には、容器の容量に対して、操作部材が小さくなり、容器全体の小型化が図れるようになった。
【発明を実施するための最良の形態】
【００１１】
次に、本発明の定量吐出容器について、図面を参照して説明する。
図１において、Ａはキャップ、Ｂは容器体、Ｃは中皿、Ｄは操作部材である。
【００１２】
キャップＡは、頂壁１と側周壁２とからなり、頂壁１下面には栓体３が設けられ、側周壁２内周にはねじ４が設けられている。
【００１３】
容器体Ｂは、上筒５と下筒６とからなり、上筒５は、その上端に、外周にねじ７を設けた吐出筒８を立設し、中皿Ｃを摺動可能に嵌挿した筒体９を具え、筒体９の下方には、下筒６が嵌合する膨出部１０を設けた縮径段部１１が設けられている。
下筒６には、内面上端に係合部１２が設けられ、下方にストッパー１３、下端部にスリット１４が設けられている。
【００１４】
中皿Ｃは、外周に、筒体９内面に液密にスライドする弾性片１５を設けた板体１６を具え、板体１６の下方には、突起１７を有する突出部１８を垂設している。
【００１５】
図１、２に示すように、操作部材Ｄは、外歯Ｄ１と中歯Ｄ２と操作ボタンＤ３とからなっている。
外歯Ｄ１は、上方に中皿Ｃの突出部１８の突起１７へ嵌合する嵌合孔１９を穿設した頂壁２０と側周壁２１とから構成され、側周壁２１の下端内面には、下側が平らな係止歯２２が設けられている。
【００１６】
中歯Ｄ２は、中央に設けた支柱２３と、上壁２４と外筒体２５とからなり、外筒体２５の外周上端には、ストッパー２６が設けられ、その下方には、外歯Ｄ１の係止歯２２と係合する上側が平らな多数の鋸歯２７が刻設されており、内周下端には、係止歯２８が設けられている。
【００１７】
操作ボタンＤ３は、操作板３０とその中央部に立設された内筒３１と、外周縁近くに立設された外筒３２とからなっており、操作板３０は、下筒６の内周面に嵌挿され、その外周には、下筒６のスリット１４に係合する突起３３が設けられている。
内筒３１の外周面には、上側が平らな多数の鋸歯３４が刻設されており、中歯Ｄ２内面に設けられた係止歯２８と噛み合うようにしている。  
【００１８】
外筒３２の上端部外周には、下筒６のストッパー１３と係合する膨出部３５が設けられており、外筒３２の上端と上筒５の下端との間には、スプリング３６が弾装されている。
【００１９】
前記実施例では、外歯Ｄ１の係止歯２２、中歯Ｄ２の鋸歯２７、係止歯２８、操作ボタンＤ３の鋸歯３４は、それぞれ全周にわたって設けたが、一定角度において鋸歯と係止歯がそれぞれが係合するように設けてもよく、配設位置、形状は、実施例に限定されない。
【００２０】
次に、本実施例の定量吐出容器の使用態様と、作用効果について、図１、および図３、図４を参照して説明する。
図１の状態からキャップＡをはずし、操作ボタンＤ３の操作板３０を押すと、内筒３１の鋸歯３４に噛合っている中歯Ｄ２の係止歯２８に力が伝達され、中歯Ｄ２の鋸歯２７から外歯Ｄ１の係止歯２２へと力が伝達され、中皿Ｃが鋸歯２７の一ノッチ分移動し、図３（ａ）に示す状態となり、内容物が定量吐出される。
【００２１】
操作板３０の押圧を解くと、操作ボタンＤ３がスプリング３６により元に復帰するが、その時、中皿Ｃに設けた弾性片１５と、容器体Ｂの内面が液密状態に保持されるとともに、摩擦抵抗で同位置にとどまり、図３（ｂ）に示すように、中歯Ｄ２より外歯Ｄ１が一ノッチ分上方に移動した状態になる。
【００２２】
何回も繰り返し操作ボタンＤ３を押圧していると、図４（ａ）に示すように、外歯Ｄ１が上死点まで行った時、中歯Ｄ２のストッパー２６に外歯Ｄ１の係止歯２２が当接し、上昇がストップする。
さらに、操作ボタンＤ３を押圧すると、図４（ｂ）に示すように、操作ボタンＤ３の内筒３１の鋸歯３４により中歯Ｄ２の係止歯２８に力が伝達され、中皿Ｃが上昇し、最後まで内容物を吐出できる。
【００２３】
操作部材Ｄに、多段方式を採用したので、容器の小型化が可能となった。
また、操作ボタンＤ３の突起３３と、容器体Ｂのスリット１４との係合により、相互に回転しないので操作ボタンＤ３の動作時に余分な応力がかからず、動作がよりスムースになった。
【００２４】
また、外歯Ｄ１と、中歯Ｄ２と、操作ボタンＤ３のそれぞれの係止歯と鋸歯とを一定角度として係合させるとき、組立が容易になるとともに、動作がスムースとなった。
【００２５】
前記実施例では、操作部材Ｄとして、外歯Ｄ１、中歯Ｄ２と操作ボタンＤ３とから形成したが、外歯Ｄ１と中歯Ｄ２を一体化し、押上げ部材として、外歯Ｄ１の構成を採用し、操作ボタンＤ３の内筒に設けた鋸歯と噛み合うようにしてもよい。
また、実施例では、一対の外歯と中歯を用いて二段方式にしたが、中歯の数を増やし多段方式にしてもよい。
【産業上の利用可能性】
【００２６】
本発明は、一定量吐出させる定量吐出容器として、構造を簡単にすることができた。
また、容器底部の操作ボタンを一回押すだけで、鋸歯を設けた操作ボタン、中歯、外歯により中皿を一段ずつ上昇させ、一定量吐出させることができ、しかも、多段方式を採用したので、容器の容量に比べ操作部材を小さくできるので、容器全体を小型化がはかれるようになり、定量吐出容器としての広く利用できるようになった。
【図面の簡単な説明】
【００２７】
【図１】本発明定量吐出容器の一部断面立面図である。
【図２】吐出容器の操作部材の拡大図である。
【図３】操作ボタンの作動説明図で、（ａ）は操作ボタンの押圧時、（ｂ）は操作  ボタンの押圧を解いたときの説明図である。
【図４】中皿ボタンの作動説明図で、（ａ）は外歯の最上昇時、（ｂ）は中皿の最上位置にある時の説明図である。
【符号の説明】
【００２８】
Ａ      キャップ
Ｂ      容器体    
Ｃ      中皿
Ｄ      操作部材
Ｄ１    外歯
Ｄ２    中歯
Ｄ３    操作ボタン
１      頂壁
２      側周壁
３      栓体
４、７  ねじ
５      上筒
６      下筒
８      吐出筒
９      筒体
１０    膨出部
１１    縮径段部
１２    係合部
１３    ストッパー
１４    スリット
１５    弾性片
１６    板体
１７    突起
１８    突出部
１９    嵌合孔
２０    頂壁
２１    側周壁
２２    係止歯
２３    支柱
２４    上壁
２５    外筒体
２６    ストッパー
２７、３４  鋸歯
２８    係止歯
３０    操作板
３１    内筒
３２    外筒
３３    突起
３５    膨出部
３６    スプリング
【図１】
2008137684.tif 000003
【図２】
2008137684.tif 000004
【図３】
2008137684.tif 000005
【図４】
2008137684.tif 000006